【事件の表示】
　特願２００３−５７７５１８「呼に対して被呼者の応答がない場合、マルチメディア・メッセージを送る方法、装置およびシステム」拒絶査定不服審判事件〔平成１５年　９月２５日国際公開、ＷＯ０３／７９６５７、平成１７年１１月　４日国内公表、特表２００５−５３３４０７〕について、次のとおり審決する。
【結　論】
　本件審判の請求は、成り立たない。
【理　由】
１．手続の経緯と本願発明 
　本願は、２００３年　３月１０日（パリ条約による優先権主張外国庁受理２００２年　３月１１日、（ＵＳ）米国）を国際出願日とする出願であって、平成２２年　８月　３日付けで拒絶査定がなされ、これに対し、平成２２年１２月　７日付けで審判請求がなされたものである。
　本願特許請求の範囲の【請求項１】に係る発明（以下、「本願発明」という。）は、明細書、特許請求の範囲及び図面の記載からみて、平成２１年１０月１５日付け手続補正書の特許請求の範囲の【請求項１】に記載された以下のとおりのものと認める。 
　
「発呼端末が、前記発呼端末に関連付けられた発呼者からの入力に応じて、音声チャネルを介して被呼端末に向けて呼を開始するステップと、
前記発呼端末が、前記呼に対し前記被呼端末に関連付けられた被呼者の応答が無いことを知らせる信号を検出するステップと、
前記発呼端末が、前記信号を検出したことに応じて前記音声チャネルを介した前記呼を終了させるステップと、
前記発呼端末が、前記呼に対し前記被呼者の応答が無いことを知らせるメッセージを前記発呼者に提示し、且つ前記被呼者に伝えるマルチメディア・メッセージを作成するように前記発呼者に促すステップと、
前記発呼端末が、前記発呼者が前記マルチメディア・メッセージの作成を完了したときに、データ・チャネルを介して該マルチメディア・メッセージを被呼者に伝えるためにマルチメディア・メッセージ・サービス・サーバに送るステップと、
を含む通信方法。」 
　 
２．引用発明 
　これに対して、原査定の拒絶理由に引用された欧州特許出願公開第０９１３９８２号（公開日１９９９年　５月　６日）（以下、「引用例」という。）には、「Message transfer system」(メッセージ伝送システム）(（　）内は当審仮訳。以下も同様。）として、図面とともに以下の事項が記載されている。
 　
イ．「[0001] The present invention relates to a method and apparatus for transferring messages between two remote parties. In particular, it relates to voice mail systems and in a preferred form, to a method of, in the event of a busy or no-answer condition, playing a greeting and recording a message locally then forwarding that message to the remote voice mail system of the called party via a data network.」（２頁１欄）
（[0001]　本発明は、２つの離れた当事者間でメッセージを伝送するための方法及び装置に関する。特に、音声メールシステム及び、望ましい形として、話中あるいは無応答の場合に、一端で挨拶を再生し、メッセージを録音し、当該メッセージをデータネットワークを介して遠隔の音声メールシステムに転送する方法に関する。）
　
ロ．「[0028] Fig 2 shows, in flow chart form, the sequence of events which will occur at the called entity side (20). An incoming telephone call is indicated by the letter A and is received by the switching circuit (22). This is represented by the block (221). The switching circuit (22) has the ability to determine at block (222) whether the called party is busy or not answering his telephone. If the called party is available, the switching circuit (22) causes the incoming telephone call A to be connected to the telephone set (21) as indicated by the block (223). However, if the called party is not answering his telephone or is busy on another telephone call, this fact is recognised by the switching circuit (22) and this causes the switching circuit (22) to send a message represented by the letter B back down the normal voice lines (23,13) to the calling party indicating that no voice connection can be made. The message B is preferably structured to contain at least two pieces of information namely the indication that no voice connection can be made but also a data address for the called party. This message can be sent back one or more times until such time as a call termination signal C is received as indicated by block(225) whereupon the voice call is concluded. The usual format for calling line identification can be used in modified form for this With modern digital switching systems, the call is not connected until the called party answer signal is received and no call charges are incurred therefor. The position would be different if the initial call were answered by a switch board operator and then passed to the appropriate telephone set.
[0029] Referring to Fig 3, this shows a flow chart representing the sequence of events which takes place at the calling entity and the same letters have been allocated to the various messages as have been used in Fig. 2. In this case, the block (311) indicates that the calling entity has originated a call on the public switched telephone network. Thereafter, as indicated by block (312), the calling entity receives the message B indicating that the called party is not available and that voice mail should be used. Further the message also contains the data address of the called party. At this stage, the calling entity concludes the voice call as indicated by block (313) and as indicated by the message C. The next step in the sequence is the calling party is invited to leave a voice mail message_as indicated by the block (314) and thereafter the message is recorded using the voice message server (16) at the calling entity as indicated by the block (315). After the caller has concluded his voice message, the caller hangs up as indicated by the block (316) and the initial sequence of events is concluded.」（５頁７〜８欄）
（[0028]　図２は、フローチャートの形式で、被呼エンティティ側（２０）で生じる一連のイベントを示している。入来する電話呼は文字Ａで示され、スイッチング回路（２２）で受信される。このことは、ブロック（２２１）で表される。スイッチング回路（２２）はブロック（２２２）において、被呼者が話中か自己の電話に応答していないかを決定する能力を有する。被呼者が空いている場合には、スイッチング回路（２２）は入来する電話呼Ａをブロック（２２３）で示されるように、電話機（２１）に接続させる。しかしながら、被呼者が自己の電話に応答していないか別の電話で話中である場合には、この事実がスイッチング回路で認識され、スイッチング回路（２２）に、音声接続ができなかったことを示す文字Ｂで表されるメッセージを通常の音声回線（２３、１３）を戻って、発呼者へ送信させる。メッセージＢは少なくとも２つの部分の情報、すなわち、音声接続ができなかったという表示だけでなく被呼者のデータ用のアドレスを含むように構成することができる。このメッセージは、音声呼が終了されるブロック（２２５）に示されるように、呼の終了信号Ｃが受信される時間まで、１回以上、送り返される。回線識別情報を発呼するための通常のフォーマットが、このために変形された形式で利用できる。現代のデジタルスイッチングシステムでは、被呼者の応答信号が受信されるまで呼は接続されず、そのため、呼への課金は発生しない。最初の呼が交換台のオペレータによって応答され、適当な電話機に転送されるなら対応は異なるであろう。
[0029]　図３を参照すると、これは発呼エンティティで生ずる一連のイベント表すフローチャートを示しており、図２で使用されたのと同じ文字が様々なメッセージに割り当てられている。この場合、ブロック（３１１）は発呼エンティティが公衆電話交換回線網上に呼を発生したことを示す。その後、ブロック（３１２）で示されるように、発呼エンティティは被呼者が空いていないこと及び音声メールを使用するべきであることを示すメッセージBを受信する。さらに、メッセージは被呼者のデータ用のアドレスも含む。この段階で、発呼エンティティはブロック（３１３）で示され、メッセージCで示されるように、音声呼を終了する。このシーケンスの次のステップは、ブロック（３１４）で示されるように、発呼者は音声メールメッセージを残すよう促されることであり、その後、メッセージは、ブロック（３１５）で示されるように、発呼エンティティにおける音声メッセージサーバ（１６）を用いて録音される。発呼者が自己の音声メッセージを終了した後、ブロック（３１６）で示されるように、発呼者は電話を切り、最初の一連のイベントは終了される。）
　
ハ．「[0031] Once the calling party has hung up, having left his voice mail message, the switching circuit (12) transfers the voice message to a data network access device(14) where the voice message is processed in order to be put on to the data network (40). The type of processing used is dictated by the actual data network concerned and could be voice over Internet or could be digitised and formed into packets for ATM distribution. Once the voice message is in a suitable form, the network access device (14) accesses the network as indicated in Fig. 4 using the network data address obtained via the message B and this data message is sent over the data network (40) to the corresponding data network access device (24) of the receiving entity as indicated by the message E in Fig. 4. Once the voice message has been transmitted, the data network access device releases the network connection and ends the communication. It is also possible for the voice message stored at the calling entity (10) to be erased at this time or some predetermined time thereafter.
[0032] Referring now to Fig 5, this shows the data handling procedure at the receiving entity. Here the data network access device (24) receives the message D indicating that a data message is being delivered to it as indicated by the block(511) the device 24 then receives the incoming data message E and deposits the message in a mail box associated with the server (26) indicated by the data address associated with the message E as indicated by the block (512). The receipt of the message is indicated to the called party in some appropriate way either by a on screen display or in some other way as indicated by the block (513). When the called party is ready to receive the message, he accesses the mail box in some convenient fashion for example by dialling up using his telephone set (21) to release the voice message which then concludes the overall messaging system.」（５頁８欄〜６頁９欄）
（[0031]　発呼者が、自分の音声メールメッセージを残して、電話を切ると、スイッチング回路（１２）は、音声メッセージをデータ網（４０）に乗せるために処理するデータ網のアクセス装置に音声メッセージを伝送する。使用される処理の形式は、関連する実際のデータ網に指示され、インターネット用音声、又は、ＡＴＭ搬送用のパケットにデジタル化され形成され得る。音声メッセージが適切な形になると、ネットワークアクセス装置（１４）は、メッセージＢにより取得したネットワークのデータ用のアドレスを用いて、図４に示されるようにネットワークにアクセスし、このデータメッセージは、図４のメッセージＥで示されるように、データネットワーク（４０）を介して受信エンティティの対応するデータネットワークアクセス装置（２４）に送信される。音声メッセージが伝送されると、データネットワークアクセス装置は値とワーク接続を解放し、通信を終了する。発呼エンティティ（１０）に蓄積された音声メッセージをこの時点又はある所定の時間後に消去することも可能である。
[0032]　ここで、図５を参照すると、これは受信エンティティにおけるデータ処理手順を表している。ここで、データネットワークアクセス装置（２４）は、ブロック（５１１）で示されるようにデータメッセージが自身に届けられていることを示すメッセージＤを受信し、装置２４は入来するデータメッセージＥを受信し、ブロック（５１２）で示されるようにメッセージＥに関連するデータ用のアドレスによって示されるサーバ（２６）に関連するメイルボックスにメッセージを保管する。メッセージの受信は、ブロック（５１３）で示されるようにオンスクリーン表示またはその他の方法のいずれかのある適当な方法で被呼者に示される。被呼者がメッセージを受信しようとするとき、ある身近なやり方、例えば、電話機（２１）を用いてダイヤルアップすることによりメイルボックスにアクセスし、音声メッセージを放出して全てのメッセージシステムを終了する。）
　
　上記引用例の記載及び図面を参照すると、上記イ．の「The present invention relates to a method and apparatus for transferring messages between two remote parties. 」（本発明は、２つの離れた当事者間でメッセージを伝送するための方法及び装置に関する。）及び同ロ．[0028]の「An incoming telephone call is indicated by the letter A and is received by the switching circuit (22). ・・・If the called party is available, the switching circuit (22) causes the incoming telephone call A to be connected to the telephone set (21) as indicated by the block (223).」（入来する電話呼は文字Ａで示され、スイッチング回路（２２）で受信される。・・・被呼者が空いている場合には、スイッチング回路（２２）は入来する電話呼Ａをブロック（２２３）で示されるように、電話機（２１）に接続させる。）等の記載から、引用例には「メッセージを伝送するための方法」及び「電話」をするための方法等が記載されており、通信方法が記載されているといえる。
　そして、上記ロ．ハ．に記載された「calling entity」（発呼エンティティ）が発呼側を指すことは明らかであり、同ロ．[0028]の「An incoming telephone call is indicated by the letter A and is received by the switching circuit (22). ・・・If the called party is available, the switching circuit (22) causes the incoming telephone call A to be connected to the telephone set (21)・・・.」（入来する電話呼は文字Ａで示され、スイッチング回路（２２）で受信される。・・・被呼者が空いている場合には、スイッチング回路（２２）は入来する電話呼Ａを電話機（２１）に接続させる・・・。）、同[0029]の「In this case, the block (311) indicates that the calling entity has originated a call on the public switched telephone network.」（この場合、ブロック（３１１）は発呼エンティティが公衆電話交換回線網上に呼を発生したことを示す。）という記載から、引用例には発呼側から「公衆電話交換回線網」を介して電話「呼」を発生することが記載され、当該「呼」は「被呼者」が使用する「電話機（２１）」に向けられたものであることは明らかである。
　上記ロ．［0028］の「・・・if the called party is not answering his telephone or is busy on another telephone call, ・・・and this causes the switching circuit (22) to send a message represented by the letter B back down the normal voice lines (23,13) to the calling party indicating that no voice connection can be made.」（・・・被呼者が自己の電話に応答していないか別の電話で話中である場合には、・・・スイッチング回路（２２）に、音声接続ができなかったことを示す文字Ｂで表されるメッセージを通常の音声回線（２３、１３）を戻って、発呼者へ送信させる。）という記載から、引用例には「被呼者の応答が無い」場合には、発呼者へ「音声回線（２２、２３）」を介して「音声接続ができなかったことを示すメッセージ」を送信することが記載されており、該「音声接続ができなかったことを示すメッセージ」は「被呼者の応答が無い」場合に発生するものといえ、同[0029]の「・・・as indicated by block (312), the calling entity receives the message B indicating that the called party is not available and that voice mail should be used. ・・・At this stage, the calling entity concludes the voice call as indicated by block (313) and as indicated by the message C.」（・・・ブロック（３１２）で示されるように、発呼エンティティは被呼者が空いていないこと及び音声メールを使用するべきであることを示すメッセージＢを受信する。・・・この段階で、発呼エンティティはブロック（３１３）で示され、メッセージＣで示されるように、音声呼を終了する。）という記載から、発呼側が該「音声接続ができなかったことを示すメッセージ」を受信し、発呼側は該「メッセージ」を受信したことに応じて、「音声」「呼」を終了することが明らかであり、該「音声」「呼」は前記「公衆電話交換回線網」を介するものであることは明らかである。
　さらに、上記ロ．［0029］の「The next step in the sequence is the calling party is invited to leave a voice mail message_as indicated by the block (314) and thereafter the message is recorded using the voice message server (16) at the calling entity as indicated by the block (315).・・・」（このシーケンスの次のステップは、ブロック（３１４）で示されるように、発呼者は音声メールメッセージを残すよう促されることであり、その後、メッセージは、ブロック（３１５）で示されるように、発呼エンティティにおける音声メッセージサーバ（１６）を用いて録音される。・・・）という記載及び図３のブロック３１４、３１５から、引用例には「発呼者」に「被呼者に伝える音声メールメッセージを残すよう促す」メッセージを提示し、「被呼者に伝える音声メールメッセージを残すよう促す」「ステップ」が記載され、引用例において、該「ステップ」の後に、「発呼者」が「音声メールメッセージ」を作成することは明らかであり、該「音声メールメッセージ」は「音声メッセージサーバに録音される」ことから該「音声メールメッセージ」は「音声メッセージサーバ」に送られることも明らかである。
　また、上記ロ．[0029]の記載及び図１、３から、「発呼者」が使用する電話機（１１）が「発呼者」にメッセージを提示し、「音声メールメッセージを残すよう促」し、「音声メールメッセージ」を「音声メッセージサーバ」に送ることも明らかである。
　上記ハ．の記載から、引用例の「音声メールメッセージ」は「データ網」を介して「被呼者」に伝えられるものである。
　したがって、上記引用例には、以下の発明（以下、「引用発明」という。）が記載されている。 
　
「発呼側が、公衆電話交換回線網を介して被呼者が使用する電話機に向けて呼を発生するステップと、
前記発呼側が、前記呼に対し前記電話機を使用する被呼者の応答が無い場合に生成される音声接続ができなかったことを示すメッセージを受信するステップと、
前記発呼側が、前記メッセージを受信したことに応じて前記公衆電話交換回線網を介した前記呼を終了させるステップと、
発呼者が使用する電話機が、前記呼に対し被呼者に伝える音声メールメッセージを残すよう促すメッセージを発呼者に提示し、且つ被呼者に伝える音声メールメッセージを残すよう促すステップと、
前記発呼者が使用する電話機が、データ網を介して発呼者が作成する音声メールメッセージを被呼者に伝えるために音声メッセージサーバに送るステップと、
を含む通信方法。」
　　
３．対比 
　本願発明と引用発明を比較すると、引用発明の「発呼者が使用する電話機」は本願発明の「発呼端末」に相当し、本願発明の「発呼端末」も発呼側の機器であるから引用発明の「発呼側」と本願発明の「発呼端末」は「発呼側」という点で一致する。
　引用発明の「公衆電話交換回線網」は電話による音声通話のための回線を提供するものであるから、本願発明の「音声チャネル」と実質的な差違はなく、引用発明の「被呼者が使用する電話機」、「呼を発生する」と本願発明の「被呼端末」、「呼を開始する」も実質的な差違はない。
　そして、引用発明の「電話機を使用する被呼者」と本願発明の「被呼端末に関連付けられた被呼者」とは実質的な差違はなく、引用発明の「被呼者の応答が無い場合に発生する音声接続ができなかったことを示すメッセージ」は本願発明の「被呼端末に関連付けられた被呼者の応答が無いことを知らせる信号」に相当し、引用発明の「受信する」と本願発明の「検出する」も実質的な差違はない。
　さらに、引用発明の「音声メールメッセージ」と本願発明の「マルチメディア・メッセージ」とは、いずれも「メッセージ」という点で一致し、引用発明の「音声メールメッセージサーバ」と本願発明の「マルチメディア・メッセージ・サービス・サーバ」とは、いずれも「メッセージ・サーバ」という点で一致し、引用発明の「被呼者に伝える音声メールメッセージを残すよう促すメッセージを発呼者に提示し」と本願発明の「被呼者の応答が無いことを知らせるメッセージを発呼者に提示し」とは、いずれも「所定のメッセージを発呼者に提示し」という点で一致する。そして、引用発明の「メッセージを残す」ためには「メッセージを作成する」ことになるから、引用発明の「メッセージを残す」と本願発明の「メッセージを作成する」とは実質的な差違はない。
　また、引用発明の「データ網」はデータ通信のための回線を提供するものであるから本願発明の「データチャネル」と実質的な差違はなく、引用発明の「データ網を介して発呼者が作成する音声メールメッセージを被呼者に伝えるために音声メッセージサーバに送る」と本願発明の「発呼者が前記マルチメディア・メッセージの作成を完了したときに、データ・チャネルを介して該マルチメディア・メッセージを被呼者に伝えるためにマルチメディア・メッセージ・サービス・サーバに送る」とは、いずれも「発呼者がメッセージを作成し、データ網（データチャネル）を介して該メッセージを被呼者に伝えるためにメッセージ・サーバに送る」という点で一致する。
　したがって、本願発明と引用発明は、以下の点で一致ないし相違する。
　
＜一致点＞ 
「発呼側が、音声チャネルを介して被呼端末に向けて呼を開始するステップと、
前記発呼側が、前記呼に対し前記被呼端末に関連付けられた被呼者の応答が無いことを知らせる信号を検出するステップと、
前記発呼側が、前記信号を検出したことに応じて前記音声チャネルを介した前記呼を終了させるステップと、
発呼端末が、前記呼に対し所定のメッセージを発呼者に提示し、且つ前記被呼者に伝えるメッセージを作成するように前記発呼者に促すステップと、
前記発呼者が、前記被呼者に伝えるメッセージを作成し、前記発呼端末が、データチャネルを介して該メッセージを被呼者に伝えるためにメッセージ・サーバに送るステップと、
を含む通信方法。」 
　
＜相違点＞ 
（１）上記「発呼側が、音声チャネルを介して被呼端末に向けて呼を開始するステップ」に関し、本願発明は「発呼端末が、前記発呼端末に関連付けられた発呼者からの入力に応じて」、「音声チャネルを介して被呼端末に向けて呼を開始する」のに対し、引用発明は「発呼端末が、前記発呼端末に関連付けられた発呼者からの入力に応じて」という構成を有するか否か不明である点。
（２）上記「前記発呼側が、前記呼に対し前記被呼端末に関連付けられた被呼者の応答が無いことを知らせる信号を検出するステップと、前記発呼側が、前記信号を検出したことに応じて前記音声チャネルを介した前記呼を終了するステップ」に関し、本願発明は「前記発呼側」が「前記発呼端末」であるのに対し、引用発明は「発呼端末」について明示していない点。
（３）上記「所定のメッセージ」に関し、本願発明は「被呼者の応答が無いことを知らせるメッセージ」であるのに対し、引用発明は「被呼者に伝える音声メールメッセージを残すよう促すメッセージ」である点。
（４）上記被呼者に伝える「メッセージ」、「メッセージ・サーバ」に関し、本願発明は「マルチメディア・メッセージ」、「マルチメディア・メッセージ・サービス・サーバ」であるのに対し、引用発明は「音声メールメッセージ」、「音声メッセージサーバ」である点。
（５）上記「前記発呼者が前記被呼者に伝えるメッセージを作成し、前記発呼端末が、データチャネルを介して該メッセージを被呼者に伝えるためにメッセージ・サーバに送るステップ」に関し、本願発明は「前記発呼端末が、前記発呼者が前記マルチメディア・メッセージの作成が完了したときに」、「該メッセージ」を「サーバに送る」のに対し、引用発明は当該構成について明示していない点。
　
４．検討 
　まず、上記相違点（２）について検討する。
　被呼者からの応答が無いことをメッセージ、話中音、呼出し音に対する無応答を発呼端末に伝え、発呼端末側でこれらを検出すること、検出したことに応じて発呼者が該端末から呼を終了することは周知技術（例えば、原審の拒絶理由にも引用された特開平４−２３５４８号公報（第２頁左下（第５）欄第１６行〜右下（第６）欄第１６行）の他、特開平３−２２７４４号公報（第２頁右上欄第１６行〜右下欄第８行）、特開平８−７９３８９号公報（【００１９】〜【００２２】）、特開平６−８６３４３号公報（【００２３】）参照。）であり、引用発明の「発呼側」が端末として「電話機」を備えていることから、引用発明の「発呼側」の構成を「発呼端末」の構成とすることは、当業者が周知技術に基づいて適宜なし得ることである。
　次に、上記相違点（１）について検討する。
　電話等の音声通話を開始する際に、発呼者が自身の使用している電話機等の端末から通話先の被呼者の電話番号を入力するなどして呼が開始されることはよく知られている構成であり、上記相違点（２）の検討と同様に、引用発明の「発呼側」が端末を備えていることから、引用発明の「発呼側」が当該構成を採用することができることは明らかであり、当該相違点は格別なものではない。
　続いて、上記相違点（３）について検討する。
　引用発明の「被呼者に伝える音声メールメッセージを残すよう促すメッセージ」は、引用例の図２、３を参照すると、「被呼端末に関連付けられた被呼者の応答が無い」場合に発生するメッセージの内容に基づくものであるから、引用発明の「被呼者に伝える音声メールメッセージを残すよう促すメッセージ」に加えて、「被呼端末に関連付けられた被呼者の応答が無いことを知らせるメッセージ」を提示するようにすることは、当業者が適宜なし得ることである。
　なお、被呼者に伝える音声メールメッセージを残すよう促す際に、「被呼端末に関連付けられた被呼者の応答が無いことを知らせるメッセージ」を提示することは、原審の拒絶理由に引用された米国特許出願公開第２００１／００３１６３３号明細書（[0023]〜[0030]中の「[0025]・・・・I'm Currently in a Meeting.」という表示参照。）にも記載されており、格別なものではない。
　さらに、上記相違点（４）について検討する。
　発呼者の電話機等からの呼に対して被呼者の応答がない場合に、発呼者がマルチメディア・メッセージを作成することは周知技術（例えば、原審の拒絶理由にも引用された特表平９−５０９８１０号公報（第１０頁第２８行〜第１１頁第２行、第１８頁第１５行〜１９頁第１行）、米国特許出願公開第２００１／００３１６３３号明細書（[0023]〜[0030]）、欧州特許出願公開第１１１３６３１号明細書（２００１年７月４日公開、[0110]）参照。）であり、その際、作成したメッセージを管理するメッセージサーバがマルチメディアに対応したサーバとなることは自明のことである。
　よって、引用発明の「音声メールメッセージ」、「音声メッセージサーバ」を「マルチメディア・メッセージ」、「マルチメディア・メッセージ・サービス・サーバ」とすることは、当業者が周知技術に基づいて適宜なし得ることである。
　最後に、上記相違点（５）について検討する。
　端末を使って相手に伝えたいメッセージを作成する際に、端末でメッセージを作成した後に、該作成したメッセージをメッセージサーバに送信し、該サーバが格納、転送等の処理することは周知技術（例えば、特開２０００−４００５０号公報（【０００８】、【０００９】）、特開平１１−６５９６０号公報（【００１４】）参照。）であり、引用発明において「発呼端末」が、「発呼者が前記マルチメディア・メッセージの作成が完了したときに」、「該メッセージ」を「サーバに送る」ようにすることは、当業者が周知技術に基づいて適宜なし得ることである。
　そして、本願発明の作用効果も引用発明及び周知技術から当業者が予測できる範囲のものである。 
　
５．むすび 
　以上のとおり、本願発明は、上記引用例に記載された発明及び周知技術に基づいて、当業者が容易に発明をすることができたものと認められるから、特許法第２９条第２項の規定により特許を受けることができない。 
　
　よって、結論のとおり審決する。